(57)【要約】【課題】通水時の水圧で連結部材が上昇してシャワー保持具から脱離するのを規制したシャワー装置を提供する。【解決手段】シャワー装置１００は、シャワーホース１１０とシャワーヘッド１２０とシャワーヘッドを脱着可能に保持するシャワー保持具１４０とを備え、シャワーヘッドは、その表面から突出した突出部１３１を有し、シャワー保持具１４０は、シャワーヘッドを取り付け可能な第１の状態と、シャワー保持具に保持されたシャワーヘッドの突出部と衝接することでシャワーヘッドのシャワー保持具からの脱離を規制できる第２の状態とに操作可能な脱離規制部材１４６を備える。【選択図】図２
2007270579.tif 000002
【特許請求の範囲】
【請求項１】
シャワーホースと、シャワーヘッドと、上記シャワーヘッドを脱着可能に保持するシャワー保持具と、を備えたシャワー装置であって、
上記シャワーヘッドは、その表面から突出した突出部を有し、
上記シャワー保持具は、上記シャワーヘッドを取り付け可能な第１の状態と、上記シャワー保持具に保持されたシャワーヘッドの突出部と衝接することで上記シャワーヘッドのシャワー保持具からの脱離を規制できる第２の状態とに操作可能な脱離規制部材を備えることを特徴とする、シャワー装置。
【請求項２】
前記シャワー保持具は、その内壁面の上端から下方へ所定長下がった位置まで凹設されて上記突出部を案内支持するガイド溝を有し、
前記脱離規制部材が、少なくともこのガイド溝の上端を覆う開閉式の蓋体から成ることを特徴とする、請求項１に記載のシャワー装置。
【請求項３】
前記シャワー保持具内壁面の前記ガイド溝下端にて、さらに前記シャワーヘッドの向き可変用の回動用ガイド溝が連接して凹設されていることを特徴とする、請求項２に記載のシャワー装置。
【請求項４】
前記シャワー保持具が弾機手段を備え、該弾機手段により前記蓋体をシャワー保持具上面側に倒伏させる付勢力を与えることを特徴とする、請求項２に記載のシャワー装置。
【請求項５】
前記突出部が前記シャワーヘッドの表面に離間して複数個突設されると共に、前記シャワー保持具内壁面に上記突出部と対応して複数のガイド溝が凹設されていることを特徴とする、請求項２に記載のシャワー装置。
【発明の詳細な説明】
【技術分野】
【０００１】
本発明は、浴室などに設けられるシャワー装置に係り、特に、シャワーヘッドをシャワー保持具に保持した状態でシャワー装置に通水した際、水の勢いによってシャワーヘッドがシャワー保持具から脱離することを規制したシャワー装置に関するものである。
【背景技術】
【０００２】
従来から、シャワー装置は、家庭の浴室、洗面室、キッチンなどに限らず、ホテルや公共施設など、屋内外の各種の施設で広く普及し利用に供されている。この種のシャワー装置５００は、図１１に示すように、シャワーホース５１０と、複数の吐出孔５２１を有するシャワーヘッド本体５２０と、シャワーヘッド本体５２０の端部に取り付けられシャワーホース５１０の先端部をシャワーヘッド本体５２０に連結する連結部材５３０と、浴室の壁面などに取り付けられシャワーヘッド本体５２０を保持するシャワー保持具５４０とを備えている。なお、図１１では、吐出孔５２１の表示を簡略化して、一部だけを表している。シャワーヘッドは、シャワーヘッド本体５２０と、連結部材５３０とがそれぞれ別々に構成されていても、シャワーヘッド本体５２０と連結部材５３０とが一体に構成されていてもよい。
【０００３】
連結部材５３０は、シャワーヘッド本体５２０よりも小径で且つシャワーホース５１０よりも大径の円筒状に形成されている。シャワー保持具５４０は断面Ｃ状のフックとして、前面側が切り欠かれてシャワーホース５１０の差込み口５４１を形成しており、この差込み口５４１からシャワーホース５１０を差し込んで連結部材５３０を保持するようになっている。シャワーホース５１０は例えば樹脂材にて屈曲可能に形成され、その先端に取り付けたシャワーヘッド本体５２０を任意の方向と位置に移動させることができる。
【０００４】
このような構成のシャワー装置５００では、浴室等の壁面に取り付けたシャワー保持具５４０の上方から連結部材５３０をシャワー保持具５４０に挿着することで、シャワーヘッド本体５２０と連結部材５３０との境界の段部でシャワー保持具５４０に掛止し、これによりシャワーヘッドを保持するようにしており、シャワーヘッドをシャワー保持具５４０に保持した状態で、使用者は吐出孔５２１から湯水を吐出させて体や髪を洗うことができる。なお、連結部材５３０を、シャワーヘッド側の外径を大きくしシャワーホース側の外径を小さくテーパー状に形成し、このテーパー面をシャワー保持具５４０に嵌合してシャワーヘッドを保持する構成も知られている。
【０００５】
上述したようなシャワー装置は特許文献１〜３等に開示されている。
【特許文献１】特開２００１−４９７０６号公報
【特許文献２】特開２００２−３７１６０５号公報
【特許文献３】特開２００３−３２８４１０号公報
【発明の開示】
【発明が解決しようとする課題】
【０００６】
しかし、シャワーヘッド本体５２０をシャワー保持具５４０に保持した状態でシャワーヘッド本体５２０から湯水を吐出させる場合、吐出する水圧が高いと、シャワーホース５１０及びシャワーヘッドに水圧が作用して、シャワーヘッドがシャワー保持具の中で向き変えたり、シャワー保持具５４０から上昇して外れたりするおそれがある。この場合、湯水が予期しない周囲に飛散したり、また、シャワーヘッドが洗い場などに落下してしまうことも考えられる。
【０００７】
本発明は以上の点に鑑み、通水時の高い水圧によっても、シャワーヘッドがシャワー保持具から脱離することが規制され、シャワーヘッドの一定姿勢を確実に保持し得るシャワー装置を提供することを目的とする。
【課題を解決するための手段】
【０００８】
上記目的を達成するために、本発明のシャワー装置は、シャワーホースと、シャワーヘッドと、シャワーヘッドを脱着可能に保持するシャワー保持具と、を備え、シャワーヘッドはその表面から突出した突出部を有し、シャワー保持具は、シャワーヘッドを取り付け可能な第１の状態と、シャワー保持具に保持されたシャワーヘッドの突出部と衝接することでシャワーヘッドのシャワー保持具からの脱離を規制できる第２の状態とに操作可能な脱離規制部材を備えることを特徴としている。
【０００９】
シャワー保持具は、好ましくは、その内壁面の上端から下方へ所定長下がった位置まで凹設されて突出部を案内支持するガイド溝を有し、脱離規制部材は、少なくともこのガイド溝の上端を覆う開閉式の蓋体から成る。
シャワー保持具の内壁面に、ガイド溝下端においてさらにシャワーヘッドの向き可変用の回動用ガイド溝を連接して凹設してもよい。
シャワー保持具にバネなどで成る弾機手段を設け、この弾機手段により蓋体をシャワー保持具上面側に倒伏させる付勢力を与えておけば、シャワーホースに高い水圧が導入されても、シャワー保持具からシャワーヘッドが脱離することなく確実に保持される。
シャワーヘッドの突出部を、シャワーヘッドの表面に離間して複数個突設すると共に、シャワー保持具内壁面にはこれらの突出部に対応して複数のガイド溝を凹設すると、シャワーヘッドのシャワー保持具内での動きが効果的に規制されて、より確実に保持される。
【発明の効果】
【００１０】
本発明によれば、脱離規制部材を、シャワーヘッドをシャワーシャワー保持具に取り付け可能な第１の状態と、シャワー保持具に保持したシャワーヘッドの脱離を規制する第２の状態とに切り換えることができる。脱離規制部材が第２の状態にあるときに、シャワーヘッドをシャワー保持具に保持して通水すると、この通水によりシャワーホースからシャワーヘッド内へ流れ込む水圧によってシャワーヘッドが上昇し又は向きを変えようとしても、シャワーヘッドの外周面から突出した突出部が脱離規制部材に衝接することで、シャワーヘッドのシャワー保持具で向きを変えたり、脱離したりすることが規制される。
したがって、通水時において過度の水圧によってシャワーヘッドが左右に向きを変えたり、上昇してシャワー保持具から脱離しようとしても、突出部の動きが脱離規制部材によって規制されることで、シャワーヘッドのブレによる向きの変更や脱落を防止することができる。
【発明を実施するための最良の形態】
【００１１】
以下、図面に基づいて本発明の実施形態を説明する。
（第１の実施形態）
図１は本発明の第１の実施形態に係るシャワー装置１００を設置した浴室１０の外観図、図２はシャワー装置１００を示す斜視図である。浴室１０には洗い場２０に隣接して浴槽３０が設置されており、洗い場２０と浴槽３０との四方を囲むように壁パネル４１〜４３が組み付けられている。ただし、浴室ドアが設けられた一つの壁パネルは図示を省略している。これらの壁パネルの上方を覆うように天井５０が組み付けられている。
【００１２】
壁パネル４２には、洗い場２０に隣接してカウンター６０が設置されている。このカウンター６０の上方の壁パネル４２には、切換部７１と温度調節部７２とを有する水栓７０と、ミラー８０と、洗面用具載置用の棚９０と、シャワー装置１００とが取り付けられている。浴槽３０に隣接した壁パネル４１には、滑り防止用の手摺り３１が取り付けられている。
【００１３】
水栓７０には吐水口が設けられており、切換部７１を操作することで水の吐水・止水の切り換えと、水を水栓７０の吐水口から出すかシャワー装置１００から出すかを切り換えることができるようになっている。また、水栓７０の温度調節部７２を操作して湯水の温度を設定することで、適温の湯水を水栓７０或いはシャワー装置１００から出すことができる。切換部７１と温度調節部７２は、例えば、水栓本体に回転可能に取り付けたノブを備えており、切換用ノブの回転位置に応じて水を出す対象を切り換えることができ、温度調節用ノブの回転位置に応じて水の温度を変えることができる。
【００１４】
シャワー装置１００は、図１及び図２に示すように、水栓７０に基部を連結したシャワーホース１１０と、複数の吐出孔１２１を有するシャワーヘッド本体１２０と、このシャワーヘッド本体１２０の端部に取り付けられシャワーホース１１０の先端部をシャワーヘッド本体１２０に連結する連結部材１３０と、壁パネル４２などの取付面に取り付けられ連結部材１３０を脱着可能に把持するシャワー保持具１４０と、で構成されている。なお図２では吐出孔１２１の表示を簡略化して、一部だけを表している。本実施形態に係るシャワーヘッドは、シャワーヘッド本体１２０と連結部材１３０とをそれぞれ別々に構成しているが、シャワーヘッド本体１２０と連結部材１３０とを一体に構成してもよい。
【００１５】
図示例では、シャワー保持具１４０は、異なる高さ位置で壁パネル４２の二箇所に取り付けられているが、シャワー保持具１４０の数は１個でも又は必要に応じて３個以上であってもよい。また、取付面は壁パネルに限らず、シャワーホース長に応じて、壁面に取り付けたスライドバーや、カウンターなど取り扱いに便利な任意の箇所に取り付けることができる。
【００１６】
連結部材１３０の外径は、シャワーヘッド本体１２０よりも小径で且つシャワーホース１１０よりも大径の円筒状に形成され、この円筒内にてシャワーヘッド本体１２０の接続部とシャワーホース先端とを漏水しないよう水密に連結する。シャワー保持具１４０は断面Ｃ状のフックとして、前面側が切り欠かれてシャワーホース１１０の差込み口１４１を形成しており、この差込み口１４１からシャワーホース１１０を差し込んで連結部材１３０を保持するようになっている。ただし、差込み口１４１の開口幅は、連結部材１３０の外径より狭く形成され、差込み口１４１の開口から連結部材１３０を直接挿入することはできないように設計されている。なお、シャワーホース１１０は例えば樹脂材にて屈曲又は湾曲可能に形成され、その先端に取り付けたシャワーヘッド本体１２０を任意の方向と位置に移動させることができる。
【００１７】
上記構成のシャワー装置１００では、浴室の適宜箇所に取り付けたシャワー保持具１４０の上方から連結部材１３０をシャワー保持具１４０に挿着することで、シャワーヘッド本体１２０と連結部材１３０との境界の段部１２５でシャワー保持具１４０に掛止し、これによりシャワーヘッド本体１２０が保持される。使用者は、シャワーヘッド本体１２０をシャワー保持具１４０に保持した状態で、吐出孔１２１から湯水を吐出させて身体の洗浄又は洗髪することができる。なお、連結部材１３０を、シャワーヘッド側の外径を大きくしシャワーホース側の外径を小さくテーパー状に形成して、このテーパー面をシャワー保持具１４０に嵌合してシャワーヘッド本体１２０を保持するようにしてもよい。
【００１８】
以上の構成は従来のシャワー装置５００と同様であるが、本発明の第１の実施形態に係るシャワー装置１００は、通水時の水圧によって連結部材１３０がシャワー保持具１４０から脱離したりブレにより向きを変えたりするのを規制したことを特徴としている。
【００１９】
本実施形態に係る連結部材１３０は例えば硬質樹脂材で円筒形状に成形され、図２において、下端からシャワーホース１１０を上端からシャワーヘッド本体１２０を挿着してこれらを連結するようになっており、図２では、その外壁面から横方向に突出した突出部１３１が備えられている。図示の例では、二つの突出部１３１，１３１が連結部材１３０に互いに１８０度離間した左右に突設されている。なお、連結部材１３０がシャワーヘッド本体１２０と一体に構成されている場合には、突出部１３１はシャワーヘッドの表面から突出している。また、シャワーヘッド本体１２０と連結部材１３０とが別体に構成されている場合に、シャワーヘッド本体１２０の外周面に突出部１３１が設けられても良い。
図３は、図２に示す連結部材１３０の断面図であり、連結部材１３０の円筒軸Ｘと直交する直線上の対向する連結部材側壁の位置にそれぞれ突出部１３１が形成されている。これらの突出部１３１は、図３に示すように連結部材１３０と一体に形成されても、又は突出部１３１を個別に作製して連結部材１３０の外周に取り付けても良い。なお、突出部１３１の形状は、円柱状、円盤状などに限定されるものではなく、連結部材１３０の外壁面から突出した形状であれば良い。
【００２０】
図４は図２に示すシャワー保持具１４０のＡ−Ａ線断面図であり、シャワー保持具１４０にはその内壁面１４２に、連結部材１３０の突出部１３１を案内支持するガイド溝１４３が内壁面１４２の上端から下方へ所定長下がった位置まで形成されている。このガイド溝１４３は、シャワー保持具上面１４４からシャワー保持具の高さの半分程度下がった位置まで筋状の縦溝として凹設されている。本実施形態では、ガイド溝１４３は、連結部材１３０の二つの突出部１３１，１３１に対応して、内壁面１４２の対向する二ヶ所に形成されている。
【００２１】
図２及び図４に示すように、シャワー保持具１４０の上縁部１４４Ａには、回転軸１４５を介して脱離規制部材としての蓋体１４６が開閉式に取り付けられている。この蓋体１４６は、シャワー保持具上面１４４を覆うように、このシャワー保持具１４０の断面と同じＣ状に形成された硬質樹脂製のプレートから成っている。
【００２２】
図５は、蓋体１４６をシャワー保持具１４０の上面１４４に倒伏させた状態を示す斜視図であり、被蓋状態ではガイド溝１４３の上端を含む上面１４４の全体が覆われるようになっている。ただし、蓋体１４６は本実施形態で示す形状に限らず、少なくともガイド溝１４３の上端を被蓋し得るようになっていれば、後述するように連結部材１３０の移動を抑止し得ることから十分に適用することができる。
【００２３】
次に、第１の実施形態に係るシャワー装置１００の作用について説明する。
シャワー保持具１４０にシャワーヘッド本体１２０を保持させる場合には、先ず、シャワー保持具上面１４４を覆っている蓋体１４６を上方へ開いて、シャワー保持具上面１４４とガイド溝１４３の上端を開放させ、シャワーホース１１０をシャワー保持具１４０の前面側に設けられた差込み口１４１に差し込む。そして、連結部材１３０の外周面から突出した突出部１３１をシャワー保持具１４０のガイド溝１４３に挿入して、連結部材１３０をガイド溝１４３に沿って下端まで摺動させることで、連結部材１３０をシャワー保持具１４０内で確実に保持させることができる。
【００２４】
図６には、蓋体１４６を開いて連結部材１３０をシャワー保持具１４０に嵌着した状態が示されている。この図に示すように、連結部材１３０の突出部１３１をガイド溝１４３に案内支持して下方へ移動させ、ガイド溝１４３下端の底部に当接させたら、蓋体１４６を矢印α方向に倒伏させて被蓋する。
【００２５】
図７は、連結部材１３０を収容してシャワー保持具１４０の蓋体１４６を閉じた状態の断面図である。ここで、被蓋状態で連結部材１３０を持ち上げようとすると、ガイド溝１４３の上端まで持ち上げると蓋体１４６に突出部１３１が衝接するので、連結部材１３０のシャワー保持具１４０からの脱離が規制される。
【００２６】
図７に示すように、連結部材１３０をシャワー保持具１４０に保持し被蓋した状態で、水栓７０の切換部７１を操作してシャワー装置１００に通水すると、シャワーホース１１０を介してシャワーヘッド本体１２０内に水が流れ込み、その水の勢いによってシャワーホース１１０，シャワーヘッド本体１２０及び連結部材１３０に力が作用する。特に、水の勢いが強いと、シャワーヘッド本体１２０の上昇により連結部材１３０が上昇する。この場合、ガイド溝１４３の上端が蓋体１４６で覆われているため、連結部材１３０が持ち上げられても、連結部材１３０の突出部１３１が蓋体１４６の下面に衝接し、連結部材１３０がシャワー保持具１３０から抜け出てしまうのが規制される。また、高い水圧で連結部材１３０がシャワー保持具１３０内でブレによって向きを変えようとしても、連結部材１３０の突出部１３１がガイド溝１４３内で係合しているため、左右への向きの変更又は上下方向のブレも防ぐことができる。
【００２７】
このように、本発明の第１の実施形態に係るシャワー装置１００によれば、シャワー保持具１４０にシャワーヘッド本体１２０を保持した状態で通水したとき、たとえ水勢が強くても、連結部材１３０の突出部１３１が蓋体１４６と衝接し、且つガイド溝１４３内で突出部１３１との係合状態を維持することになるので、水圧によって連結部材１３０がシャワー保持具１４０から脱離することがない。よって、通水時において連結部材１３０がシャワー保持具１４０から外れてシャワーヘッド本体１２０が落下し、これが原因でシャワーヘッド本体１２０や洗い場２０等が傷つくような事態も防止できる。また、連結部材１３０の突出部１３１がシャワー保持具１４０のガイド溝１４３に確実に係合されているので、水勢によるシャワーヘッド本体１２０の上下又は左右方向のブレも起こらず、シャワー水の周辺への飛散も防止できる。
【００２８】
（第２の実施形態）
次に、本発明の第２の実施形態に係るシャワー装置２００について説明する。
この実施形態に係るシャワー装置２００は、図８に示すように、シャワーヘッド本体１２０の向きを左右に自在に変更可能なように、シャワー保持具にさらに回動用ガイド溝が設けられている。なお、第１の実施形態に係るシャワー装置１００の構成部材と同じものには同一の符号を付し、その詳細な説明は省略する。
【００２９】
図８は第２の実施形態に係るシャワー保持具２４０に連結部材１３０を挿入し蓋体１４６を閉じた状態を示し、この図に示すように、シャワー保持具２４０の内壁面１４２には、ガイド溝１４３の下端において、回動用ガイド溝２４３がガイド溝１４３の下端と連通し、この下端から横方向に屈曲して凹設されている。この回動用ガイド溝２４３は、例えば、シャワー保持具上面１４４と平行に、即ち水平面内でＵ状に横溝として形成され、シャワーヘッド本体１２０の左右方向の向きを任意の角度で自由に変えることができるよう、ガイド溝１４３の底部を中心として左右に所定の長さで連接されている。なお、突出部１３１は、ガイド溝２４３に対してシャワーヘッド本体１２０の向きが水の勢いで変わらないように、取り付けられている。
【００３０】
この構成のシャワー保持具２４０によれば、連結部材１３０の突出部１３１をシャワー保持具２４０のガイド溝２４３の底部に保持した状態で、さらに、連結部材１３０を左又は右方向に回転させて突出部１３１を回動用ガイド溝２４３内で摺動できるので、シャワーヘッド本体１２０の左右方向の向きを任意に変えることができる。これにより使用者はシャワーヘッド本体１２０をシャワー保持具２４０に保持した状態で、任意の角度位置から湯水を浴びることができる。
【００３１】
（第３の実施形態）
図９は本発明の第３の実施形態に係るシャワー保持具３４０を示している。このシャワー保持具３４０には、回転軸１４５の周りに弾機手段３４５が取り付けられていて、蓋体１４６をシャワー保持具上面１４４側に倒伏させる付勢力を与えている。その他の構成は第１の実施形態の構成部材と同様であるので、詳細な説明を省略する。
【００３２】
弾機手段３４５としては、例えばコイル状のバネを用いることができる。この弾機手段３４５により、蓋体１４６がシャワー保持具上面１４４に押し付けられているので、シャワー装置３００の通水時に過度の水圧で連結部材１３０が持ち上げられたとしても、シャワー保持具３４０から外れるのを防止できる。なお図示を省略するが、バネに代えて、脱離規制部材としての蓋体１４６とシャワー保持具１４４とを、爪片で掛止したり雌雄の嵌合手段などでロックするようにしてもよい。
【００３３】
以上説明したが、本発明はその趣旨を逸脱しない範囲で様々な形態で実施をすることができる。本発明に係るシャワー装置は、家庭内の浴室、洗面室、キッチンなどのほか、ホテルや公共施設など、屋内外の各種の施設に配設され得ることは言うまでもない。
本発明のシャワー装置を例えば浴室に配設する場合において、シャワー保持具は壁パネルやカウンターなどの取付面に取り付けられる他、図１０に示すように、壁パネル４２にスライドバー９５を固定し、このスライドバー９５に沿ってシャワー保持具１４０Ａを移動可能に取り付けることもできる。後者の場合は使用者の身長や使用状態によりシャワーヘッドの高さを任意に変更できる点で便宜である。
【００３４】
本発明において、連結部材１３０の突出部１３１の数と配設位置は任意に設定でき、その数と配設位置に対応して、シャワー保持具１４０，２４０，３４０の内壁面１４２に凹設するガイド溝１４３の数と配設位置を選定すればよい。また、回動用ガイド溝２４３を、縦溝としてのガイド溝１４３に対してＴ状に形成することなく、鉤状、即ちＬ状に形成し、左右の何れか一方向に回動するようにしてもよい。
なお、図示の実施形態では、蓋体１４６がシャワー保持具上面１４４とガイド溝１４３の上端を覆う形状に形成されているが、脱離規制部材としての蓋体はこの形状に制限されることなく、シャワー保持具の少なくともガイド溝上端を覆うように構成されていればよい。
【００３５】
シャワー保持具１４０の内壁面１４２にガイド溝１４３を設ける代わりに、脱離規制部材としての蓋体１４６の底面、即ち、シャワー保持具上面１４４と対向する面に突出部１３１を収納する凹部を設け、この凹部に突出部１３１が係合することで、シャワーヘッド本体１２０のシャワー保持具１４０からの脱離を規制するようにしてもよい。
【００３６】
本発明において、脱離規制部材は、例えばシャワー保持具上面１４４を覆うように、シャワー保持具の上面１４４に対して摺動可能に取り付けられてもよく、或いは折り畳み式に構成されてもよい。或いは、突出部１３１の移動軌跡上に配置される棒状等の部材として形成されてもよい。これらの場合も、通水によりシャワーホースからシャワーヘッド内へ流れ込む水圧によってシャワーヘッドが上昇し又は向きを変えようとしても、シャワーヘッドの外周面から突出した突出部が脱離規制部材に衝接することで、シャワーヘッドのシャワー保持具での向きの変更や脱離を規制することができる。
【図面の簡単な説明】
【００３７】
【図１】本発明の第１の実施形態に係るシャワー装置を設置した浴室を示す斜視図である。
【図２】第１の実施形態に係るシャワー装置を示す斜視図である。
【図３】第１の実施形態に係る連結部材の拡大断面図である。
【図４】図２に示すシャワー保持具のＡ−Ａ線断面図である。
【図５】第１の実施形態に係るシャワー保持具を示す斜視図である。
【図６】図５に示すシャワー保持具に連結部材を挿入した状態の断面図である。
【図７】図５に示すシャワー保持具に連結部材を挿入し、蓋体を閉じた状態の断面図である。
【図８】本発明の第２実施形態に係るシャワー保持具に連結部材を挿入し、蓋体を閉じた状態の断面図である。
【図９】本発明の第３実施形態に係るシャワー保持具を示す斜視図である。
【図１０】本発明のシャワー装置を設置した他の浴室を示す斜視図である。
【図１１】従来のシャワー装置を示す斜視図である。
【符号の説明】
【００３８】
１０  浴室
２０  洗い場
３０  浴槽
３１  手摺り
４１〜４３  壁パネル
５０  天井
６０  カウンター
７０  水栓
７１  切換部
７２  温度調節部
８０  ミラー
９０  棚
１００，２００，３００  シャワー装置
１１０  シャワーホース
１２０  シャワーヘッド本体
１２１  吐出孔
１３０  連結部材
１３１  突出部
１４０，１４０Ａ，２４０，３４０  シャワー保持具
１４１  溝部
１４２  内壁面
１４３  ガイド溝
１４４  シャワー保持具上面
１４４Ａ  シャワー保持具縁部
１４５  回転軸
１４６  蓋体
２４３  回動用ガイド溝
３４５  弾機手段
【図１】
2007270579.tif 000003
【図２】
2007270579.tif 000004
【図３】
2007270579.tif 000005
【図４】
2007270579.tif 000006
【図５】
2007270579.tif 000007
【図６】
2007270579.tif 000008
【図７】
2007270579.tif 000009
【図８】
2007270579.tif 000010
【図９】
2007270579.tif 000011
【図１０】
2007270579.tif 000012
【図１１】
2007270579.tif 000013